(57)【特許請求の範囲】
【請求項１】
熱交換器と、前記熱交換器を通して空気を吸引するファンと、前記熱交換器を通過する空気に含まれる塵埃を捕集するエァーフィルターと、前記エァーフィルター上を移動すると共に開口部を有する吸引ノズルと、前記吸引ノズルの駆動装置と、前記開口部と連通する吸引装置と、前記吸引ノズルに沿って駆動可能なベルトを備え、前記ベルトに、前記開口部と連通すると共に前記エァーフィルター側に開口した吸引口と、前記吸引口の横に当該吸引口と対応する部分に配され発泡材からなるブラシを設け、前記吸引口を通して前記エァーフィルター上の塵埃を吸引する清掃運転時に、前記ファンを運転するように構成し、かつ更に、前記吸引ノズルには前記ベルトを吸引ノズルに沿わせるようにガイドするベルトガイドを設けた空気調和機。
【請求項２】
ファンを運転した時のエァーフィルターを通過する空気の風速を、吸引ノズルの開口部から吸引される空気のそれよりも小さくしたことを特徴とする請求項１に記載の空気調和機。
【請求項３】
エァーフィルターの手前側へ傾斜している面又は／および前記エァーフィルターの垂直になっている面を清掃する時に、ファンを運転するようにした請求項１又は２に記載の空気調和機。
【請求項４】
吸引ノズルを左右方向に往復移動するように設け、前記吸引ノズルの往路時にファンを運転し、前記吸引ノズルの復路時に前記ファンの運転を停止するようにした請求項１〜３のいずれか１項に記載の空気調和機。
【発明の詳細な説明】
【技術分野】
【０００１】
本発明は、空気調和機に関するもので、特に、フィルターの清掃を自動的に行うようにした空気調和機に関するものである。
【背景技術】
【０００２】
従来の、この種の空気調和機においては、エァーフィルターをベルト状に形成し、そのベルト状のエァーフィルターを駆動させながら、そのエァーフィルター上に付着している塵埃をブラシにより除去し排出するようにしている（例えば、特許文献１参照）。
【特許文献１】特開平６−７４５２１号公報
【発明の開示】
【発明が解決しようとする課題】
【０００３】
しかしながら、前記特許文献１に開示された従来の空気調和機の構成では、ブラシとエァーフィルターがお互いに擦られるためエァーフィルターの清掃回数が重なるに連れて、ブラシに塵埃が絡み付いて清掃性能が低下していくため、定期的にブラシのメンテナンスが必要となるという課題を有していた。
【０００４】
本発明は、前記従来の課題を解決するもので、塵埃の絡み付きが起こらず、また交換やメンテナンスが不要なブラシを用いて、確実にエァーフィルター上の塵埃を除去できる空気調和機を提供することを目的とする。
【課題を解決するための手段】
【０００５】
前記従来の課題を解決するために、本発明の空気調和機は、熱交換器と、前記熱交換器を通して空気を吸引するファンと、前記熱交換器を通過する空気に含まれる塵埃を捕集するエァーフィルターと、前記エァーフィルター上を移動すると共に開口部を有する吸引ノズルと、前記吸引ノズルの駆動装置と、前記開口部と連通する吸引装置と、前記吸引ノズルに沿って駆動可能なベルトを備え、前記ベルトに、前記開口部と連通すると共に前記エァーフィルター側に開口した吸引口と、前記吸引口の横に当該吸引口と対応する部分に配され発泡材からなるブラシを設け、前記吸引口を通して前記エァーフィルター上の塵埃を吸引する清掃運転時に、前記ファンを運転するように構成し、かつ更に、前記吸引ノズルには前記ベルトを吸引ノズルに沿わせるようにガイドするベルトガイドを設けたもので、ブラシへの塵埃の絡み付きを防止して、エァーフィルターからの塵埃の掻き出し性を向上させると共に、ブラシの磨耗や亀裂の発生を防止することができるので、清掃部分のメンテナンスが不要になる。さらに、エァーフィルター清掃時にファンによる吸引力により、塵埃の掻き出し時にできる塵埃の毛玉の落下を防止することが出来る。
【発明の効果】
【０００６】
本発明の空機調和機は、ブラシへの塵埃の絡み付きを防止するとともにエァーフィルターからの塵埃の掻き出し性を高くして清掃性能を永続的に維持し、さらにブラシの高耐久性を実現することにより、清掃装置のメンテナンスを不用とすることができる。そして、エァーフィルター清掃時の塵埃の掻き出し時にできる塵埃の毛玉の落下防止を図ることができる。
【発明を実施するための最良の形態】
【０００７】
第１の発明は、熱交換器と、前記熱交換器を通して空気を吸引するファンと、前記熱交換器を通過する空気に含まれる塵埃を捕集するエァーフィルターと、前記エァーフィルター上を移動すると共に開口部を有する吸引ノズルと、前記吸引ノズルの駆動装置と、前記開口部と連通する吸引装置と、前記吸引ノズルに沿って駆動可能なベルトを備え、前記ベルトに、前記開口部と連通すると共に前記エァーフィルター側に開口した吸引口と、前記吸引口の横に当該吸引口と対応する部分に配され発泡材からなるブラシを設け、前記吸引
口を通して前記エァーフィルター上の塵埃を吸引する清掃運転時に、前記ファンを運転するように構成し、かつ更に、前記吸引ノズルには前記ベルトを吸引ノズルに沿わせるようにガイドするベルトガイドを設けたもので、ブラシへの塵埃の絡み付きを防止して、エァーフィルターからの塵埃の掻き出し性を向上させると共に、ブラシの磨耗や亀裂の発生を防止することができるので、清掃部分のメンテナンスが不要になる。さらに、エァーフィルター清掃時にファンによる吸引力により、塵埃の掻き出し時にできる塵埃の毛玉の落下を防止することが出来る。
【０００８】
第２の発明は、特に、第１の発明のファンを運転した時のエァーフィルターを通過する空気の風速を、吸引ノズルの開口部から吸引される空気のそれよりも小さくしたもので、吸引性能を確保しながら塵埃の毛玉の落下防止を図ることができる。
【０００９】
第３の発明は、特に、第１又は第２の発明のエァーフィルターの手前側へ傾斜している面又は／および前記エァーフィルターの垂直になっている面を清掃する時に、ファンを運転するようにしたもので、省エネを図ることができると共に、エァーフィルターの傾斜面、垂直面からの塵埃の毛玉の落下防止を図ることができる。
【００１０】
第４の発明は、特に、第１〜３のいずれか一つの発明の吸引ノズルを左右方向に往復移動するように設け、前記吸引ノズルの往路時にファンを運転し、前記吸引ノズルの復路時に前記ファンの運転を停止するようにしたもので、塵埃の毛玉の落下防止を図りながら大幅な省エネを図ることができる。
【００１１】
以下、本発明の実施の形態について、図面を参照しながら説明する。なお、この実施の形態によって本発明が限定されるものではない。
【００１２】
（実施の形態１）
本発明の第１の実施の形態における空気調和機について、図１〜図６を用いて説明する。
【００１３】
図１〜５において、本実施の形態における空気調和機の空気調和機本体１７は、熱交換器２１と、熱交換器２１を通して室内の空気を吸引するファン１６と、熱交換器２１の上流側に配され熱交換器２１を通過する空気に含まれる塵埃を捕集するエァーフィルター１を備えている。エァーフィルター１は、フィルター枠２に取り付けられ、エァーフィルター１の上流側表面に沿って左右に移動可能な吸引ノズル３が設けられている。
【００１４】
吸引ノズル３は、左右駆動装置８とフィルター枠２の上下端に設置されたガイドレール４により、エァーフィルター１と狭い間隙を保って円滑に左右に移動することができる。吸引ノズル３には、吸引ダクト５の一端が連結され、さらに吸引ダクト５の他端は吸引装置６に連結されている。吸引ダクト５は、吸引ノズル３の左右の移動に差し支えないように折り曲げ可能なダクトで形成される。さらに、吸引装置６の排気側には、一端が室外に開放した排気ダクト７の他端が連結されている。
【００１５】
上記構成により、吸引装置６が運転されると、エァーフィルター１に付着した塵埃は、吸引ノズル３により吸引され、吸引ダクト５、吸引装置６、排気ダクト７を経由して室外へ排出される。
【００１６】
吸引ノズル３のエァーフィルター１に面する側には、図４に示すように、エァーフィルター１の全長に相当する長いスリット状の開口部１１が設けられ、この開口部１１に沿って駆動可能なベルト１２が設けられている。このベルト１２の開口部１１に対向する位置に、開口部１１の長さより短い吸引口１３が設けられ、それにより開口部１１の一部分の
みから吸引でき、かつ、ベルト１２を駆動して吸引する場所が変えられるようにしている。また、ベルト１２を吸引ノズル本体１０に沿わせるようにベルト１２をガイドすると共に吸引口１３以外の部分で吸引漏れが発生するのを抑制するために一対のベルトガイド１４が、溶着や接着などの方法で吸引ノズル本体１０に一体に形成されている。
【００１７】
さらに、ベルト１２の表面の吸引口１３の横にスポンジやＥＰＴ（エチレンプロピレンゴム）のような発泡材より構成されたブラシ１５が固着されており、ベルト１２の駆動により吸引口１３と共にブラシ１５の位置が変えられるようにしている。
【００１８】
この構成であれば、吸引位置とブラシ１５の位置の可変に必要な駆動装置としてはベルト１２だけで済むので、構成が簡単であり、低コストで実現することができ、かつ、吸引口１３とブラシ１５の位置関係を常に維持することができる。エァーフィルター１の清掃は、図５に示すように吸引ノズル３をエァーフィルター１の表面に沿って左右に駆動するとともに、ベルト１２を駆動して吸引口１３の位置を上下方向で変えることで吸引口１３を図中の矢印に示すようなスイープ動作させてエァーフィルター１の全面を清掃することができる。
【００１９】
以上のように構成された空気調和機について、以下その動作、作用を説明する。
【００２０】
図６は、本実施の形態における空気調和機の清掃時の吸引ノズル３の断面図（図４のＢ−Ｂ断面）で、エァーフィルター１を吸引清掃している最中の吸引ノズル３とエァーフィルター１の状態を断面にして示したものである。図中の実線矢印は吸引風の流れを示しており、また、エァーフィルター１上の丸印はエァーフィルター１上に付着した塵埃（＝エァーフィルター１にて捕集された塵埃）を示している。白丸（○）は、乾いた塵埃など吸引されやすい塵埃を、黒丸（●）は油分を若干含むなどして吸引されにくい塵埃を意味している。ブラシ１５は吸引ノズル３の往動作時の清掃進行方向に対して吸引口１３の後方に取りつけられている。
【００２１】
清掃の往動作においては、吸引口１３がブラシ１５に先行しているので、乾いた塵埃（○）などは吸引力でエァーフィルター１上から引き剥がされ、油分を若干含むなどして吸引されにくい塵埃（●）は、ブラシ１１で毛玉状に集められ間近にある吸引口１３に吸われて吸引除去されるものである。
【００２２】
なお、本実施の形態では、吸引ノズル３を駆動してエァーフィルター１を清掃する際に、空気調和機本体１７内部のファン１６を運転して送風運転を行うようにしている。
【００２３】
以上のように本実施の形態によれば、ブラシ１５への塵埃の絡み付きを防止し、エァーフィルター１からの塵埃の掻き出し性を高くすることができ、ブラシ１５の磨耗や亀裂の発生を防止することができるために、ブラシ１５などの清掃部分のメンテナンスが不要になり、また、清掃中にファン１６を運転して送風運転を行うことにより、エァーフィルター１の塵埃の掻き出し時にできる塵埃の毛玉の落下防止を図ることができる。
【００２４】
なお、ファン１６を運転した時のエァーフィルター１を通過する空気の風速を、吸引ノズル３の開口部１１から吸引される空気のそれよりも小さくするようにすれば、エァーフィルター１上から塵埃を吸引する吸引性能を確保しながら、塵埃の毛玉の落下防止を図ることができる。
【００２５】
又、エァーフィルター１の手前側へ傾斜している面又は／およびエァーフィルター１の垂直になっている面を清掃する時に、ファン１６を運転するようにし、エァーフィルター１の平らな部分を清掃するときにファン１６の運転を停止するようにすれば、エァーフィ
ルター１の傾斜面、垂直面からの塵埃の毛玉の落下防止を図りながら、省エネを図ることができる。
【００２６】
さらに、吸引ノズル３の往路時にファン１６を運転し、吸引ノズル３の復路時にファン１６の運転を停止するようにすれば、塵埃の毛玉の落下防止を図りながら大幅な省エネを図ることができる。
【産業上の利用可能性】
【００２７】
以上のように、本発明に係る空気調和機は、ブラシへの塵埃の絡み付きを防止するとともにエァーフィルターからの塵埃の掻き出し性を高くして清掃性能を永続的に維持し、さらにブラシの高耐久性を実現することにより、清掃機構部分のメンテナンスが不要となり、さらにエァーフィルター清掃時の塵埃の掻き出し時にできる塵埃の毛玉の落下防止を図ることができるために、家庭用や業務用の空気調和機や空気清浄機など塵埃を捕集するエァーフィルターを備えた各種装置のフィルター自動清掃の用途に広く適用できる。
【図面の簡単な説明】
【００２８】
【図１】本発明の実施の形態１における空気調和機の正面図
【図２】図１のＡ−Ａ断面図
【図３】同空気調和機に搭載されたエァーフィルターの全体斜視図
【図４】（ａ）同空気調和機の吸引ノズルの裏面斜視図（ｂ）図４（ａ）のＢ−Ｂ断面図
【図５】同エァーフィルターの吸引ノズルの動作を示す図
【図６】同吸引ノズルの動作の詳細を示す拡大断面図
【符号の説明】
【００２９】
１  エァーフィルター
３  吸引ノズル
６  吸引装置
１１  開口部
１２  ベルト
１３  吸引口
１５  ブラシ
１６  ファン
【図１】
0004696822.tif 000002
【図２】
0004696822.tif 000003
【図３】
0004696822.tif 000004
【図４】
0004696822.tif 000005
【図５】
0004696822.tif 000006
【図６】
0004696822.tif 000007